(57)【要約】【課題】  カードポケットの形成が容易でコスト低減に資することのできる冊子カバーを提案する。【解決手段】  第一の表紙押さえ３がカードＣの幅寸法より大きい上下間隔を開けてカード押さえ５に接合され、カード押さえ５の上縁５ａと下縁５ｂが第一の表紙押さえ３の上縁３ａ、下縁３ｂと共にカバー本体４に溶着されることによって、カード押さえ５と第一の表紙押さえ３との間に横向きのカードポケット１０が複数形成されると共に、第一の表紙押さえ３とカバー本体４との間に第一の表紙ポケット１１が形成されている。【選択図】    図４
0003177039.tif 000002
【実用新案登録請求の範囲】
【請求項１】
本体シート（２）と、第一の表紙押さえ（３）と、を備え、前記本体シート（２）は、カバー本体（４）と、該カバー本体（４）の一側に第一の折り曲げ部（７）を介して連続するカード押さえ（５）と、前記カバー本体（４）の他側に第二の折り曲げ部（８）を介して連続する第二の表紙押さえ（６）を備え、前記カード押さえ（５）のカバー本体（４）と対面する面には、前記カード押さえ（５）から少し突出させて前記第一の表紙押さえ（３）が重ね合わされており、この第一の表紙押さえ（３）がカード（Ｃ）の幅寸法より大きい上下間隔を開けて前記カード押さえ（５）に接合され、前記カード押さえ（５）の上縁（５ａ）と下縁（５ｂ）が前記第一の表紙押さえ（３）の上縁（３ａ）、下縁（３ｂ）と共に前記カバー本体（４）に溶着されることによって、前記カード押さえ（５）と前記第一の表紙押さえ（３）との間に横向きのカードポケット（１０）が複数形成されると共に、前記第一の表紙押さえ（３）と前記カバー本体（４）との間に第一の表紙ポケット（１１）が形成され、さらに、前記第二の表紙押さえ（６）の上縁（６ａ）と下縁（６ｂ）が前記カバー本体（４）に接合されることによって第二の表紙ポケット（１２）が形成されている、冊子カバー。
【考案の詳細な説明】
【技術分野】
【０００１】
本考案は、手帳等の冊子に被せて使用する冊子カバーに関するものであり、各種カードを収納することもできる冊子カバーに関するものである。
【背景技術】
【０００２】
冊子カバーの一種として、特許文献１に記載のものが知られている。この冊子カバーは薬手帳カバーであり、カバー本体の内面側にカードポケットを備え、このカードポケットは上向きに開口している。また、カードポケットは、樹脂製シートをそれぞれ所定量だけ上下方向にずらして複数配設されている。
【先行技術文献】
【特許文献】
【０００３】
【特許文献１】実用新案登録第３１３４０９２号公報
【考案の概要】
【考案が解決しようとする課題】
【０００４】
前記従来の冊子カバーにおいて、前記各カードポケットは、それぞれ一枚の樹脂製シートからなり、一部を重ねるようにして順次、地縁部と側縁部を溶着してある。このため、カードポケットの形成に手数を要し、コスト高の原因にもなっている。
【０００５】
本考案は、カードポケットの形成が容易でコスト低減に資することのできる冊子カバーを提案しようとするものである。
【課題を解決するための手段】
【０００６】
本考案に係る冊子カバーは、本体シートと、第一の表紙押さえと、を備える。前記本体シートは、カバー本体と、該カバー本体の一側に第一の折り曲げ部を介して連続するカード押さえと、前記カバー本体の他側に第二の折り曲げ部を介して連続する第二の表紙押さえを備える。前記カード押さえのカバー本体と対面する面には、前記カード押さえから少し突出させて前記第一の表紙押さえが重ね合わされており、この第一の表紙押さえがカードの幅寸法より大きい上下間隔を開けて前記カード押さえに接合されている。前記カード押さえの上縁と下縁が前記第一の表紙押さえの上縁、下縁と共に前記カバー本体に溶着されることによって、前記カード押さえと前記第一の表紙押さえとの間に横向きのカードポケットが複数形成されると共に、前記第一の表紙押さえと前記カバー本体との間に第一の表紙ポケットが形成されている。また、前記第二の表紙押さえの上縁と下縁が前記カバー本体に接合されることによって、第二の表紙ポケットが形成されている。
【０００７】
本考案では、前記複数のカードポケットの形成と前記第一の表紙ポケットの形成とを同時に行うことができる。このため、製造工程が簡素であり、コスト低減に資することができる。
【図面の簡単な説明】
【０００８】
【図１】本考案の実施の一形態に係る冊子カバーの平面図である。
【図２】図１の冊子カバーの分解斜視図である。
【図３】図１の冊子カバーの製造過程を示す斜視図である。
【図４】図１の冊子カバーの使用状態を示す斜視図である。
【考案を実施するための形態】
【０００９】
以下、添付図面を参照して、本考案の実施の一形態について説明する。
【００１０】
図２に示すように、本考案の実施の一形態に係る冊子カバー１は、本体シート２と、第一の表紙押さえ３と、を備える。前記本体シート２と前記第一の表紙押さえ３は、いずれも、ポリプロピレン、塩化ビニール等のプラスチックシートである。
【００１１】
前記本体シート２は、カバー本体４と、カード押さえ５と、第二の表紙押さえ６と、を備える。前記カード押さえ５と前記第二の表紙押さえ６は、それぞれ折り曲げ部７，８を介して前記カバー本体４と連続している。
【００１２】
前記カバー本体４は、カバーすべき冊子の表表紙、裏表紙及び背表紙をカバーし得る面積を有する。
【００１３】
前記カバー本体４の一側、図１の例で左側の縦縁には、第一の折り曲げ部７を介して前記カード押さえ５が連続している。このカード押さえ５の左右幅は、カードの長さよりやや短い寸法である。
【００１４】
図２に示すように、前記カード押さえ５の内面（完成時にカバー本体の内面と対面する面）には、前記カード押さえ５から外方へと少し突出させて前記第一の表紙押さえ３が重ね合わされており、この第一の表紙押さえ３がカードの幅寸法より大きい上下間隔を開けて前記カード押さえ５に接合される。接合の態様は溶着が普通であるが、限定はされない。図１の例では、第一の表紙押さえ３とカード押さえ５の接合部９が上下中間部の一箇所の横一直線であり、この接合部９の上下にカードポケット１０が二つ形成される。
【００１５】
図３に示すように、前記カード押さえ５上に前記第一の表紙押さえ３を接合した状態で、前記第一の折り曲げ部７を境として前記カバー本体４上に前記カード押さえ５を折り曲げて重ね合わせる。そして、前記カード押さえ５の上縁５ａと下縁５ｂを前記第一の表紙押さえ３の上縁３ａ、下縁３ｂと共に前記カバー本体４に溶着する。これにより、前記第一の表紙押さえ３と前記カード押さえ５との間に、上下二段のカードポケット１０，１０が横向きに形成される。同時に、前記カバー本体４と前記第一の表紙押さえ３との間に第一の表紙ポケット１１が形成される。この第一の表紙ポケット１１には、図４に示すように、冊子の表表紙又は裏表紙の少なくとも一部が挿入される。
【００１６】
前記カバー本体４の他側、図１の例では右側の縦縁には、第二の折り曲げ部８を介して前記第二の表紙押さえ６が連続している。図３に示すように、前記第二の表紙押さえ６の上縁６ａと下縁６ｂが前記カバー本体４に接合される。接合の態様は溶着が普通であるが、限定はされない。前記カバー本体４と前記第二の表紙押さえ６との間に第二の表紙ポケット１２が形成される。この第二の表紙ポケット１２には、図４に示すように、冊子の表表紙又は裏表紙の少なくとも一部が挿入される。
【００１７】
図示例では、前記本体シート２を一枚と、前記第一の表紙押さえ３を一枚用いて、一つの冊子カバー１を製作する過程を示しているが、具体的な製造方法はこれに限定されるものではない。例えば、冊子カバー１を連続的に大量生産する場合には、次のようにして製造するのが好ましい。
【００１８】
前記本体シート２の左右幅（図２のＷ１）に相当する横幅を有する第一の帯状シートと、前記第一の表紙押さえ３の左右幅（図２のＷ２）全幅に相当する横幅を有する第二の帯状シートと、を用いる。これらの帯状シートは、ロールに巻き付けられたものを繰り出しながら使用するのが好ましい。前記第一の帯状シートと前記第二の帯状シートとを重ね合わせて前方へ送りながら、まず、第一の表紙押さえ３とカード押さえ５とをカードの幅寸法より大きい上下間隔をおいた位置で横一直線に溶着する。そのまま前記第一の帯状シートと前記第二の帯状シートとを前方へ送りながら、前記カード押さえ５と前記第一の表紙押さえ３とをカバー本体４上に折り畳み、折り畳み完了後に冊子カバー一つ分の寸法位置で上下端の溶着及び切断を行う。
【００１９】
本実施の形態に係る冊子カバー１によれば、前記複数のカードポケット１０，１０の形成と前記第一の表紙ポケット１１の形成とを同時に行うことができる。このため、製造工程が簡素であり、コスト低減に資することができる。また、カードポケット１０の入口において、前記第一の表紙押さえ３が前記カード押さえ５よりも突出しているので、カードＣを前記第一の表紙押さえ３上で滑らせながら前記カードポケット１０に出し入れすることができ、カードＣの出し入れが容易に行える。
【符号の説明】
【００２０】
２  本体シート
３  第一の表紙押さえ
３ａ  第一の表紙押さえの上縁
３ｂ  第一の表紙押さえの下縁
４  カバー本体
５  カード押さえ
５ａ  カード押さえの上縁
５ｂ  カード押さえの下縁
６  第二の表紙押さえ
７  第一の折り曲げ部
８  第二の折り曲げ部
１０  カードポケット
１１  第一の表紙ポケット
１２  第二の表紙ポケット
【図１】
0003177039.tif 000003
【図２】
0003177039.tif 000004
【図３】
0003177039.tif 000005
【図４】
0003177039.tif 000006